(57)【特許請求の範囲】
【請求項１】
架空送電線を鉄塔へ牽引するための楔形引留クランプの楔を抜き取る抜楔装置であって、
一対の抜楔プレートと、前記一対の抜楔プレートを取付けるネジブロックと、前記ネジブロックに捩じ込まれ、前記楔を抜き取るための抜力を前記一対の抜楔プレートに加える抜力印加ネジとを有し、
前記ネジブロックは、両側面に、前記一対の抜楔プレートが取付けられるための一対の抜楔プレート取付けネジとそのナットとを有し、且つ、中心部に、前記抜力印加ネジが捩じ込まれるための貫通した抜力印加ネジ穴を有し、
前記一対の抜楔プレートは、前記抜楔プレート取付けネジが挿入され、前記ナットにより固定されて取付けられるための複数の取付けネジ貫通穴を有し、且つ、前記一対の抜楔プレートの下面の横幅は、上面の横幅より長く、該プレートの両側面の一部は、前記下面に向けて広がる傾斜面を有することを特徴とする楔形引留クランプの抜楔装置。
【請求項２】
前記ネジブロックに前記一対の抜楔プレートが取付けられて成す前記一対の抜楔プレートの内側面の横方向の長さは、外側面の横方向の長さより長く、且つ、前記上面及び下面の形状は台形を成し、
前記抜力印加ネジの先端は、突起部を有し、
前記ネジブロックの前記抜楔プレート取付けネジは、二対により構成されることを特徴とする請求項１に記載の楔形引留クランプの抜楔装置。
【請求項３】
架空送電線を鉄塔へ牽引するための楔形引留クランプの楔を抜き取る抜楔装置であって、
一対の抜楔プレートと、前記一対の抜楔プレートを取付けるネジブロックと、前記ネジブロックに捩じ込まれ、前記楔を抜き取るための抜力を前記一対の抜楔プレートに加える抜力印加ネジと、前記一対の抜楔プレートを把持する一対のアダプタとを有し、
前記ネジブロックは、両側面に、前記一対の抜楔プレートが取付けられるための一対の抜楔プレート取付けアームと一対の抜楔プレート止めとを有し、且つ、中心部に、前記抜力印加ネジが捩じ込まれるための貫通した抜力印加ネジ穴を有し、
前記一対の抜楔プレートは、前記抜楔プレート取付けアームが挿入される角穴を有し、且つ、前記一対の抜楔プレートの下面の横幅は、上面の横幅より長く、該プレートの両側面の一部は、前記下面に向けて広がる傾斜面を有し、
前記一対のアダプタは、前記一対の抜楔プレートを把持する抜楔プレート把持溝を有することを特徴とする楔形引留クランプの抜楔装置。
【請求項４】
前記ネジブロックに前記一対の抜楔プレートが取付けられて成す前記一対の抜楔プレートの内側面の横方向の長さは、外側面の横方向の長さより長く、且つ、前記上面及び下面の形状は台形を成し、前記角穴の上面は、複数の山型の溝を有し、
前記ネジブロックの前記抜楔プレート取付けアームは、前記角穴に挿入される角型形状を成し、前記角型形状の上面は、前記複数の山型の溝と同様の溝を有し、
前記抜力印加ネジの先端は、突起部を有し、
前記一対のアダプタの抜楔プレート把持溝は、把持する前記抜楔プレートの前記内側面側が開口したＣ型の把持溝を有し、且つ、前記一対のアダプタの両側面は、厚さ方向に傾斜のない方形形状の側面を有することを特徴とする請求項３に記載の楔形引留クランプの抜楔装置。
【発明の詳細な説明】
【技術分野】
【０００１】
本発明は、架空送電線を鉄塔へ牽引するための楔形引留クランプの楔を抜き取る抜楔装置に係り、詳しくは、簡易な抜楔プレートにより容易に引留クランプの楔を抜き取ることができる楔形引留クランプの抜楔装置に関する。
【背景技術】
【０００２】
従来、楔形引留クランプの楔を抜く場合は、楔をクランプ本体に挿入する場合に用いられる油圧シリンダーからなる押込機を用いて行われていた。図８は、従来の楔形引留クランプの押込機により楔を抜き取る説明図である。図８において、押込機４００の引掛用ツメ４１０を、矢印方向からＭＡＴ型クランプ本体２００のクランプ添板２１０の間隙に差し込み、挿入時の反対側から楔３００を押すことにより、楔３００を抜いていた。
【０００３】
この方法は、押込機４００の油圧シリンダーと楔３００との間に特殊なスペーサを入れて、油圧で楔３００を抜くため、重量が１５ｋｇ程度ある押込機４００を送電鉄塔にぶら下げた状態で行う必要があり、油圧ポンプ部（図示せず）もクランプ本体２００から離れた場所に設置して操作するため、安全に安定して作業するには、高度の技術と経験を必要とした。また、ＭＢＴ型クランプの場合も同様に、重量が１０ｋｇの押込機が用いられていた。
【０００４】
特許文献１には、クランプ本体の両側に設けられた一対のストラップに着脱自在に取付けられるブロックと、駆動軸の軸心方向が電線を把持した楔体の軸心方向と一致するようにブロックに設けられた油圧シリンダーと、一端が油圧シリンダーの駆動軸の先端部に設けられ、他端が電線を把持した楔体に当接し、かつ電線が挿入される溝条を有する押圧部とからなる旨の記載がある。
【先行技術文献】
【特許文献】
【０００５】
【特許文献１】特開平６−１８９４３３号公報
【発明の概要】
【発明が解決しようとする課題】
【０００６】
本発明は、このような問題を解決するためになされたものであり、その目的は、簡易な抜楔プレートにより容易に引留クランプの楔を抜き取ることができる楔形引留クランプの抜楔装置を提供する。
【課題を解決するための手段】
【０００７】
本発明の楔形引留クランプの抜楔装置は、架空送電線を鉄塔へ牽引するための楔形引留クランプの楔を抜き取る抜楔装置であって、一対の抜楔プレートと、一対の抜楔プレートを取付けるネジブロックと、ネジブロックに捩じ込まれ、楔を抜き取るための抜力を一対の抜楔プレートに加える抜力印加ネジとを有し、ネジブロックは、両側面に、一対の抜楔プレートが取付けられるための一対の抜楔プレート取付けネジとそのナットとを有し、且つ、中心部に、抜力印加ネジが捩じ込まれるための貫通した抜力印加ネジ穴を有し、一対の抜楔プレートは、抜楔プレート取付けネジが挿入され、ナットにより固定されて取付けられるための複数の取付けネジ貫通穴を有し、且つ、一対の抜楔プレートの下面の横幅は、上面の横幅より長く、該プレートの両側面の一部は、前記下面に向けて広がる傾斜面を有することを特徴とする。
【０００８】
本発明の楔形引留クランプの抜楔装置のネジブロックに一対の抜楔プレートが取付けられて成す一対の抜楔プレートの内側面の横方向の長さは、外側面の横方向の長さより長く、且つ、前記上面及び下面の形状は台形を成し、抜力印加ネジの先端は、突起部を有し、ネジブロックの抜楔プレート取付けネジは、二対により構成されることを特徴とする。
【０００９】
本発明の楔形引留クランプの抜楔装置は、架空送電線を鉄塔へ牽引するための楔形引留クランプの楔を抜き取る抜楔装置であって、一対の抜楔プレートと、一対の抜楔プレートを取付けるネジブロックと、ネジブロックに捩じ込まれ、楔を抜き取るための抜力を一対の抜楔プレートに加える抜力印加ネジと、一対の抜楔プレートを把持する一対のアダプタとを有し、ネジブロックは、両側面に、一対の抜楔プレートが取付けられるための一対の抜楔プレート取付けアームと一対の抜楔プレート止めとを有し、且つ、中心部に、抜力印加ネジが捩じ込まれるための貫通した抜力印加ネジ穴を有し、一対の抜楔プレートは、抜楔プレート取付けアームが挿入される角穴を有し、且つ、一対の抜楔プレートの下面の横幅は、上面の横幅より長く、該プレートの両側面の一部は、下面に向けて広がる傾斜面を有し、一対のアダプタは、一対の抜楔プレートを把持する抜楔プレート把持溝を有することを特徴とする。
【００１０】
本発明の楔形引留クランプの抜楔装置のネジブロックに一対の抜楔プレートが取付けられて成す一対の抜楔プレートの内側面の横方向の長さは、外側面の横方向の長さより長く、且つ、上面及び下面の形状は台形を成し、角穴の上面は、複数の山型の溝を有し、ネジブロックの抜楔プレート取付けアームは、当該角穴に挿入される角型形状を成し、角型形状の上面は、前記複数の山型の溝と同様の溝を有し、抜力印加ネジの先端は、突起部を有し、一対のアダプタの抜楔プレート把持溝は、把持する抜楔プレートの内側面側が開口したＣ型の把持溝を有し、且つ、一対のアダプタの両側面は、厚さ方向に傾斜のない方形形状の側面を有することを特徴とする。
【発明の効果】
【００１１】
本発明によれば、簡易で軽量な抜楔プレートにより安定して容易に引留クランプの楔を抜き取ることができる楔形引留クランプの抜楔装置を提供することができる。
【図面の簡単な説明】
【００１２】
【図１】本発明の第１の実施例による楔形引留クランプの抜楔装置の構成図。
【図２】本発明の第１の実施例による楔形引留クランプの抜楔装置の構造要素詳細図。
【図３】本発明の第１の実施例の楔形引留クランプの抜楔装置による抜楔図。
【図４】本発明の第２の実施例による楔形引留クランプの抜楔装置の構成図。
【図５】本発明の第２の実施例によるネジブロックと抜楔プレートとの接続構造図。
【図６】本発明の第２の実施例によるアダプタの構造図。
【図７】本発明の第２の実施例の楔形引留クランプの抜楔装置による抜楔図。
【図８】従来の楔形引留クランプの押込機により楔を抜き取る抜楔図。
【発明を実施するための形態】
【実施例】
【００１３】
本発明の第１の実施例の形態について、図を用いて説明する。図１は、本発明の第１の実施例による楔形引留クランプの抜楔装置の構成図である。図１において、本発明の第１の実施例による楔形引留クランプの抜楔装置１００は、一対の抜楔プレート１０と、一対の抜楔プレート１０を取付けるネジブロック２０と、ネジブロック２０に捩じ込まれ、楔３００（図３を参照）を抜き取るための抜力を一対の抜楔プレート１０に加える抜力印加ネジ３０とを有している。
【００１４】
図２は、本発明第１の実施例によるによる楔形引留クランプの抜楔装置の構造要素詳細図である。図２ａにおいて、一対の抜楔プレート１０は、抜楔プレート取付けネジ２４が挿入され、ナット２６により固定されて取付けられるための複数の取付けネジ貫通穴１３を有している。この複数の取付けネジ貫通穴１３により、楔形引留クランプ本体２００と楔３００との間隔に対応した抜楔プレート１０の固定位置を設定することができる。
【００１５】
また、一対の抜楔プレート１０の下面１１の横幅は、上面１２の横幅より長く、該プレート１０の両側面の一部１４は、下面１１に向けて広がる傾斜面を有している。楔３００を抜き取るための抜力が、抜力印加ネジ３０により一対の抜楔プレート１０に加えられると、一対の抜楔プレート１０の当該傾斜面は、楔形引留クランプ本体２００と楔３００との間隔を押し広げるように働く（図３において詳しく説明する）。
【００１６】
さらに、ネジブロック２０に一対の抜楔プレート１０が取付けられて成す一対の抜楔プレート１０の内側面の横方向の長さ１６は、外側面の横方向の長さ１５より長く、上面１２及び下面１１の形状は、台形を成している。これにより、一対の抜楔プレート１０の台形のエッジ部分が楔形引留クランプ本体２００と楔３００とに食い込むため、該プレートが該クランプから外れるという不具合を解消することができる。
【００１７】
図２ｂにおいて、ネジブロック２０は、ネジブロック本体２１の両側面に、一対の抜楔プレート１０が取付けられるための一対の抜楔プレート取付けネジ２４とそのナット２６とを有している。そして、中心部に、抜力印加ネジ３０が捩じ込まれるための貫通した抜力印加ネジ穴２２を有している。また、抜楔プレート取付けネジ２４は、二対により構成されてもよい。これにより、一対の抜楔プレート１０はネジブロック本体２１に４箇所で取付けられるため、より安定した取付けが可能となる。
【００１８】
図２ｃにおいて、抜力印加ネジ３０は、ネジ山を有するネジ本体３４と、６角形のネジ頭３２と、ネジ本体３４の先端の中心部に突起部３６とを有している。この突起部３６が楔３００に若干食い込むことにより、抜力印加ネジ３０と楔３００との位置関係を安定させ、より容易に抜楔することが可能となる。
【００１９】
図３は、本発明の第１の実施例による楔形引留クランプの抜楔装置による抜楔図である。図３において、ＭＡＴ型楔形引留クランプを構成する楔形引留クランプ本体２００と楔３００との間隔に応じて、楔形引留クランプの抜楔装置１００の一対の抜楔プレート１０が差し込まれ、その間にネジブロック２０が仮置きされる。これにより決まった取付けネジ貫通穴１３に対し、抜楔プレート取付けネジ２４が挿入され、ナット２６により固定される。
【００２０】
つぎに、６角形のネジ頭３２を６角レンチ、インパクトレンチ等により回転させことにより、抜力印加ネジ３０が抜力印加ネジ穴２２に捩じ込まれる。抜力印加ネジ３０の突起部３６が楔３００に到達した時点で、６角形のネジ頭３２をさらに強く回転させる。この時、突起部３６は楔３００若干食い込み、抜力印加ネジ３０と楔３００との位置関係が安定する。
【００２１】
さらに強く回転を続けることにより、台形のエッジ部分が楔形引留クランプ本体２００と楔３００とに食い込むため、該プレートが該クランプから外れることはない。また、一対の抜楔プレート１０が上方に押し上げられにつれて、楔形引留クランプ本体２００と楔３００との間隔が次第に広がり、楔３００が抜き取られる。楔形引留クランプの抜楔装置１００の重量は２．５ｋｇ程度であり、従来の１５ｋｇに比べ６倍の違いがある。
【００２２】
図４は、本発明の第２の実施例による楔形引留クランプの抜楔装置の構成図である。図４において、本発明の第２の実施例による楔形引留クランプの抜楔装置５００は、一対の抜楔プレート４０と、一対の抜楔プレート４０を取付けるネジブロック５０と、ネジブロック５０に捩じ込まれ、楔を抜き取るための抜力を一対の抜楔プレート４０に加える抜力印加ネジ３０と、一対の抜楔プレート４０を把持する一対のアダプタ６０とを有している。抜力印加ネジ３０の先端は、図２ｃの場合と同様に、突起部３６を有している。
【００２３】
また、図２ａの場合と同様に、一対の抜楔プレートの下面４１の横幅は、上面４４の横幅より長く、該プレートの両側面の一部は、下面に向けて広がる傾斜面を有し、且つ、ネジブロック５０に一対の抜楔プレート４０が取付けられて成す一対の抜楔プレート４０の内側面の横方向の長さ４３は、外側面の横方向の長さ４２より長く、台形を成している。
【００２４】
図５は、本発明の第２の実施例によるネジブロックと抜楔プレートとの接続構造図である。図５ａにおいて、ネジブロック５０の本体５２は、両側面に、一対の抜楔プレート４０が取付けられるための一対の抜楔プレート取付けアーム５４を有している。この抜楔プレート取付けアーム５４は、抜楔プレート４０の角穴４５に挿入される角型形状を成し、角型形状の上面は、複数の山型の溝５６を有し、端部には、抜楔プレート止め５８が捩じ込まれている。また、中心部に、抜力印加ネジ３０が捩じ込まれるための貫通した抜力印加ネジ穴２２を有している。
【００２５】
図５ｂにおいて、抜楔プレート４０は、抜楔プレート取付けアーム５４が挿入される角穴４５を有し、該角穴４５の上面は、複数の山型の溝４７を有している。そして、図５ａにおいて、一対の抜楔プレート取付けアーム５４から一対の抜楔プレート止め５８が外され、一対の抜楔プレート４０が挿入され、再び一対の抜楔プレート止め５８が取付けられて、図１における楔形引留クランプの抜楔装置１００と同様の働きをする楔形クランプの抜楔装置が構成される。
【００２６】
再び図３において、ＭＡＴ型楔形引留クランプを構成する楔形引留クランプ本体２００と楔３００との間隔に応じて、アダプタ６０を装着しない楔形引留クランプの抜楔装置５００の一対の抜楔プレート１０が差し込まれると、抜楔プレート取付けアーム５４の複数の山型の溝４７と抜楔プレート４０の角穴４５の複数の山型の溝５６とが、楔３００のサイズに合わせ所定の位置関係を保って噛み合い、横ズレが生じることを防止することができる。
【００２７】
次に続く楔３００の抜き取られる手順は、図３において説明したとおりであるため、省略する。抜楔プレート４０は、抜楔プレート止め５８により、抜楔プレート取付けアーム５４から外れない非分離構造となるため、一対の抜楔プレート取付けアーム５４の両端の長さを適用楔３００の最大幅とし、ネジブロックの本体５２の幅を適用楔３００の最小サイズとすることにより、組立、分解の必要が無く、適用楔３００の全てに、直ちに使用することができる。
【００２８】
図６は、本発明の第２の実施例によるアダプタの構造図である。図６において、一対のアダプタ６０は、一対の抜楔プレート４０を把持するため、抜楔プレート把持溝６５を有している。一対のアダプタ６０の抜楔プレート把持溝６５は、把持する抜楔プレート４０の内側面側が開口したＣ型の把持溝を有している。アダプタ６０の側面６７は、抜楔プレート４０のような台形形状の側面ではなく、厚さ方向に傾斜のない方形形状の側面を有している。
【００２９】
図７は、本発明の第２の実施例の楔形引留クランプの抜楔装置による抜楔図である。図７において、ＭＢＴ型クランプ６００と楔３００との間に、図３の場合と同様に、一対のアダプタ６０を装着した楔形引留クランプの抜楔装置５００を取付け、段落［００２６］、［００２７］と同様の操作により、楔３００を抜き取る。ＭＢＴ型クランプ６００の場合は、プレートが接触する部分が平滑であり外れる恐れがないことから、側面６７が矩形形状をしたアダプタ６０を抜楔プレート４０に装着している。これにより、楔３００、クランプ６００への痕跡を極力押えることができ、楔クランプの再利用が可能となる。楔形引留クランプの抜楔装置５００の重量は４ｋｇ程度であり、従来の１５ｋｇに比べ約４倍の違いがある。
【００３０】
以上説明したように本発明によれば、重量が従来に比べ、の１／４〜１／６であるため、高所鉄塔上における作業性、安全性に優れ、簡易な抜楔プレートにより容易に引留クランプの楔を抜き取ることができる楔形引留クランプの抜楔装置を提供することができる。また、アダプタを追加することにより、両楔型引留クランプ（MBTや新型クランプ）にも対応することが可能となり、当該楔クランプの再利用も可能となる。
【符号の説明】
【００３１】
１０  一対の抜楔プレート
１１  下面
１２  上面
１３  複数の取付けネジ貫通穴
１４  側面の一部
１５  外側面の横方向の長さ
１６  内側面の横方向の長さ
２０  ネジブロック
２１  ネジブロック本体
２２  抜力印加ネジ穴
２４  抜楔プレート取付けネジ
２６  ナット
３０  抜力印加ネジ
３２  ６角形のネジ頭
３４  ネジ本体
３６  突起部
４０  一対の抜楔プレート
４１  下面
４２  外側面の横方向の長さ
４３  内側面の横方向の長さ
４４  上面
４５  角穴
４７  突起部
５０  ネジブロック
５２  ネジブロック本体
５４  抜楔プレート取付けアーム
５６  突起部
５８  抜楔プレート止め
６０  アダプタ
６５  抜楔プレート把持溝
６７  アダプタの側面
１００  本発明の第１の実施例による楔形引留クランプの抜楔装置
２００  ＭＡＴ型クランプ本体
２１０  クランプ添板
３００  楔
４００  押込機
４１０  引掛用ツメ
５００  本発明の第２の実施例による楔形引留クランプの抜楔装置
６００  ＭＢＴ型クランプ本体
【図１】
0005755117.tif 000002
【図２】
0005755117.tif 000003
【図３】
0005755117.tif 000004
【図４】
0005755117.tif 000005
【図５】
0005755117.tif 000006
【図６】
0005755117.tif 000007
【図７】
0005755117.tif 000008
【図８】
0005755117.tif 000009